(57)【特許請求の範囲】
【請求項１】
配管に装着され、配管内を流れる流体の温度を表示する温度表示機能付き導水器具であって、
前記配管内を流れる流体が直接接し、前記流体が前記配管の外部に漏洩しないように封止する第１部材と、
前記第１部材の前記流体が接する面と反対面の少なくとも一部に配置された、温度により変化する感温材と、
前記第１部材の前記流体が直接接する面と反対面側に配置され、前記感温材を視認することができるように構成されている第２部材と、
前記第１部材から前記配管内の流体が漏洩した場合に、前記第１部材と前記第２部材の間に前記流体が浸透しないように前記第１部材と前記第２部材の間に装着される密封手段と、
を備え、
前記第１部材は、
前記配管内を流れる流体が内部に流れる筒状に形成された内筒であり、
前記感温材は、前記内筒の外表面の少なくとも一部に配置され、
前記第２部材は、筒状に形成され、中心軸線が前記内筒の中心線が一致するように、前記内筒の外側に装着されている外筒であることを特徴とする温度表示機能付き導水器具。
【請求項２】
請求項１に記載の温度表示機能付き導水器具において、
前記第２部材は、全体が透明な樹脂材で形成されることにより、前記第１部材の表面に配置された前記感温材を視認することができることを特徴とする温度表示機能付き導水器具。
【請求項３】
請求項１に記載の温度表示機能付き導水器具において、
前記第２部材は、前記第１部材の表面に配置された前記感温材が視認できる、樹脂で構成された窓部と、前記窓部以外の、金属で形成された金具部と、から構成されることを特徴とする温度表示機能付き導水器具。
【請求項４】
請求項１〜請求項３の何れか１項に記載の温度表示機能付き導水器具において、
前記第１部材は、金属製であることを特徴とする温度表示機能付き導水器具。
【請求項５】
請求項１〜請求項３の何れか１項に記載の温度表示機能付き導水器具において、
前記第１部材は、セラミック材で形成されていることを特徴とする温度表示機能付き導水器具
【発明の詳細な説明】
【技術分野】
【０００１】
本発明は、配管内部の温度表示機能を有する導水器具に関する。
【背景技術】
【０００２】
従来、湯と水を混合する混合栓と吐水をシャワー又は吐水口に切り替える切替部との間に水温センサを設け、さらに温度を色で表示するための２種類以上のＬＥＤをシャワーなどの水量調整ハンドル部分に設け、水温センサで検知した水温に応じてＬＥＤを発光させて混合光を生成し、その混合光を用いて水温を表示するようにした浴室用水栓装置がある（例えば、特許文献１参照）。
【０００３】
また、シャワーヘッドや蛇口などの導水管の一部を水溶性液晶インクやサーモクロミックインク（登録商標）をプラスチック原料に混合した材料で一体製造するか、金属の導水器具の一部をその材料で被覆し、温水が流れたときに、温水の温度をインクの色の変化で表示する温度表示機能付き導水器具があった（例えば、特許文献２参照）。
【先行技術文献】
【特許文献】
【０００４】
【特許文献１】特開２００２−３６４０３５号公報
【特許文献２】登実第３０５２３４４号公報
【発明の概要】
【発明が解決しようとする課題】
【０００５】
ところが、上記特許文献１に記載の装置では、水温センサやＬＥＤに加え、制御装置や電源あるいは制御装置と水温センサ及びＬＥＤを結ぶための配線などが必要であり、装置の構成が複雑になるという問題があり、その結果として装置が高価になるという問題もあった。
【０００６】
また、温度センサやＬＥＤなどの構成部品を配管前に配管内部などに設置しておく必要があるため、取付けが容易でなく、さらに、配管後に装置を容易に取り付けることができないという問題もあった。
【０００７】
さらに、上記特許文献２に記載の導水器具では、導水管の一部を水溶性液晶インクやサーモクロミックインク（登録商標）をプラスチック原料に混合した材料で一体製造するか、金属の導水器具の一部をその材料で被覆しているので、温水が直接インク成分に触れるのでインクの成分によっては、人体に影響を与える場合も考えられる。
【０００８】
さらに、温水以外の流体を流した場合には、流体が直接インク成分に触れるので、インクの成分によっては、インク成分が溶け出すことが考えられ、その場合には、流体の温度を表示できなくなる可能性もある。
【０００９】
本発明は、こうした問題に鑑みなされたもので、配管内部を流れる流体の温度を簡単な構造で安全な温度表示機能付き導水器具を提供することを目的とする。
【課題を解決するための手段】
【００１０】
かかる問題を解決するためになされた請求項１に記載の発明は、配管（８０）に装着され、配管（８０）内を流れる流体の温度を表示する温度表示機能付き導水器具（１）であって、第１部材（１０）、感温材（３０）、第２部材（２０）及び密封手段（５０，５２，６０）を備えている。
【００１１】
第１部材（１０）は、配管（８０）内を流れる流体が直接接し、流体が配管（８０）の外部に漏洩しないように封止し、感温材（３０）は、第１部材（１０）の流体が接する面と反対面の少なくとも一部に配置され、温度により変化するものである。また、第２部材（２０）は、第１部材（１０）の流体が直接接する面と反対面側に配置され、感温材（３０）を視認することができるように構成されている。
【００１２】
密封手段（５０，５２，６０）は、第１部材（１０）から配管（８０）内の流体が漏洩した場合に、第１部材（１０）と第２部材（２０）の間に流体が浸透しないように第１部材（１０）と前記第２部材（２０）の間に装着される。
【００１３】
このような、温度表示機能付き導水器具（１）によれば、配管（８０）内を流れる流体の温度を、簡易で安全に確認することができる。以下、説明する。
第１部材（１０）は、配管（８０）内を流れる流体に直接接する。したがって、配管（８０）内の流体の温度が変化すれば第１部材（１０）の温度が変化する。すると、第１部材（１０）の流体が接する面と反対面に配置された感温材（３０）の色が変化する。
【００１４】
ここで、第２部材（２０）が、第１部材（１０）の流体が直接接する面と反対面側に配置されており、さらに、感温材（３０）を視認することができるように構成されている。したがって、変化した感温材（３０）の色を外部から視認することができる。
【００１５】
つまり、ＬＥＤなどの発光素子や制御装置あるいは配線といった部品を必要とせず、第１部材（１０）の流体が直接接する面と反対面に感温材（３０）を配置し、それを第２部材（２０）でカバーするという簡単な構造により、配管（８０）内を流れる流体の温度を確認することができる。
【００１６】
また、密封手段（５０，５２，６０）によって、第１部材（１０）と第２部材（２０）の間には流体が浸透しないようになっている。したがって、温度表示機能付き導水器具（１）の使用中に、流体が第１部材（１０）と第２部材（２０）の間に浸透し、感温材（３０）を濡らしたり、侵食したりすることがないので、感温材（３０）の成分が流体に溶け出して外部に流れ出すことがない。
【００１７】
したがって、例えば、台所やシャワーなどのように配管（８０）内を流れる流体が温水の場合、感温材（３０）の成分が台所や浴室流れ出すことがないので、感温材（３０）の成分に拘わらず、人体に悪影響を与えることがない安全なものとすることができる。
【００１８】
また、感温材（３０）が流体に濡れたり、侵食されたりすることがないので、感温材（３０）が劣化することを防止することができる。したがって、感温材（３０）の寿命を長く保つことができる。
【００１９】
また、第１部材（１０）と第２部材（２０）との間に感温材（３０）を密封手段（５０，５２，６０）で密封しているので、密封手段（５０，５２，６０）をパッキンなどの弾性体とすれば、第１部材１０）と第２部材（２０）とを容易に分離できるので、感温材（３０）を容易に交換することができる。
【００２０】
例えば、季節によって外気温が変化するので、季節にあわせて感度範囲の異なる感温材（３０）に交換することで、季節にかかわらず、流体の温度変化に対し同じ色の色変化とすることができる。また、外気温は地域差が大きいので、地域にあわせて感度範囲の異なる感温材（３０）と交換することもできる。
【００２１】
さらに、容易に感温材（３０）を交換することができるので、例えば、温度表示機能付き導水器具（１）をシャワーヘッドや混合水栓など、浴槽や洗面所で用いられるものに適用すれば、使用者が気分に合わせて種々の色や感度の異なる感温材（３０）に交換して、楽しむこともできる。
【００２２】
なお、「感温材（３０）を第１部材（１０）の流体が直接接する面と反対面に配置する」とは、例えば、テープ状に形成された感温材（３０）を第１部材（１０）の外表面に巻き付けたり、塗料状の感温材（３０）を第１部材（１０）の外表面に塗布したり吹き付けたりすることを意味している。
【００２３】
また、この欄においては、発明に対する理解を容易にするため、必要に応じて「発明を実施するための形態」欄において用いた符号を付すが、この符号によって請求の範囲を限定することを意味するものではない。
【００２５】
このように、第１部材（１０）と第２部材（２０）とを筒状に形成すると、例えば、シャワーヘッドや混合栓などの吐水口の先端に装着することも、配管（８０）の途中に継ぎ手のように装着することも容易である。
【００２６】
また、シャワーヘッドや混合栓などの吐水口に装着したり配管（８０）の継ぎ手として装着したりすることができるので、既に設置された配管（８０）やシャワーヘッドなどに後から容易に装着することができる。
【００２７】
また、配管（８０）は通常ＪＩＳ規格などの規格品である場合が多いため、第１部材（１０）及び第２部材（２０）を容易にその規格に適合するように製作することができる。
ところで、第２部材（外筒）（２０）を形成する材料としては種々のものが考えられるが、請求項２に記載のように、全体が透明な樹脂材で形成されていると、第１部材（内筒）（１０）の表面に設けられている感温材（３０）を視認し易いので、使用者は温度変化を容易かつ正確に視認することができる。
【００２８】
また、樹脂材は加工が容易であるため、装飾加工等により器具の装飾性を高めることもできる。
さらに、樹脂材は金属材に比べ熱伝導率が低いので、第１部材（１０）に温度の高い流体が接していたり、内筒（１０）内部に温度の高い流体が流れていたりしていても、第２部材（外筒）（２０）を樹脂材とすることにより、器具に断熱効果を与えることができ、やけどなどの危険を回避することもできる。
【００２９】
また、請求項３に記載のように、第２部材（外筒）（２０）は、第１部材（内筒）（１０）の外表面の感温材（３０）が視認できる、樹脂で構成された窓部（２４）と、窓部（２４）以外の金属で形成された金具部（２０）と、から構成されていると、金属部分により第２部材（外筒）（２０）が強化されるので、温度表示付き導水器具として強度が高くなる。
【００３０】
また、配管（８０）内を流れる流体の種類によっては樹脂が劣化する場合が考えられるが、そのような場合であっても、例えば、直接流体に触れる部分を金属製とすれば、樹脂が保護されるので、流体の種類に関係なく使用することができるようになる。
【００３１】
また、請求項４に記載のように、第１部材（内筒）（１０）が金属製であると、他の材料、例えば、プラスチックやゴムなどに比べ、熱伝導率が高いので、内部を流れる流体の温度の変化が感温材（３０）に早く伝わるので、流体の温度変化をより早く認識することができる。
【００３２】
また、請求項５に記載のように、第１部材（内筒）（１０）をセラミック材で形成すると、熱伝導率は金属に比べて劣るものの、金属製の第１部材（内筒）（１０）に比べ、より軽くすることができるので、扱い易い温度表示機能付き導水器具（１）とすることができる。
【図面の簡単な説明】
【００３３】
【図１】第１実施形態における温度表示機能付き導水器具１の概略の構成を示す構成図である。
【図２】第１実施形態において、導水器具１を混合栓５や蛇口７に取り付けた状態を示す図である。
【図３】内筒１０の外観図である。
【図４】外筒２０の金具部２２の外観図である。
【図５】外筒２０の窓部２４の外観図である。
【図６】第２実施形態において、外筒２０全体が透明な樹脂材で形成された温度表示機能付き導水器具３の概略の構成を示す構成図である。
【図７】第３実施形態において、温度表示機能付き導水器具１，３を配管８０用の継ぎ手としたり、シャワーヘッド９０用の継ぎ手としたりして用いた状態を示す図である。
【図８】第４実施形態において、温度表示機能付き導水器具をはめ込んだシャワーヘッド９０の断面図である。
【発明を実施するための形態】
【００３４】
以下、本発明が適用された実施形態について図面を用いて説明する。なお、本発明の実施の形態は、下記の実施形態に何ら限定されることはなく、本発明の技術的範囲に属する限り種々の形態を採りうる。
［第１実施形態］
図１は、本発明が適用された温度表示機能付き導水器具１（以下、単に「導水器具１」とも呼ぶ）の概略の構成を示す構成図であり、図２は、導水器具１を混合栓５や蛇口７に取り付けた状態を示す図である。
【００３５】
（温度表示機能付き導水器具１の構成）
導水器具１は、図１に示すように、内筒１０、外筒２０、感温シール３０、泡沫部４０、パッキン５０、５２及びOリング６０を備えている。
【００３６】
内筒１０は、規格ＪＩＳ  Ｈ  ３２５０の銅合金製であり、図３に示すように、軸方向の長さ２０．５ｍｍの円筒形状に形成されている。内筒１０の図３中上側の一端はフランジになっており、フランジ部分の軸方向の厚さは１．５ｍｍ、外径は２０．５ｍｍとなっている。
【００３７】
また、内筒１０には、フランジが形成されている端部から厚さ３ｍｍの部分に、軸方向外側から内側にかけて、φ１６ｍｍからφ５となるテーパが形成されている。
内筒１０のフランジ部分以外の外径はφ１８ｍｍとなっており、フランジの反対端から深さ１６ｍｍに部分の内径は、１６．６ｍｍとなるように形成されている。また、外径がφ１８ｍｍに形成されている部分には、深さ０．５ｍｍ、軸方向の長さ９ｍｍの切欠き部が設けられている。この切欠き部にテープ状のメタモカラー（登録商標）などの感温シール３０を装着する。
【００３８】
外筒２０は、図１に示すように金具部２２と窓部２４とから構成される。
金具部２２は、図４に示すように、規格ＪＩＳ  Ｈ  ３２５０の銅合金製であり、軸方向の長さ１６ｍｍ、外形φ２４ｍｍ、内径２２．３ｍｍの円筒形状に形成されている。また、内壁面に、図４中上側の一端から７．５ｍｍのところに、軸方向の幅２ｍｍ、内壁面からの高さ２．１ｍｍ（つまり、内径φ１８．１）の凸部が設けられている。また、金具部２２の内壁の凸部を除く部分（２箇所）は、Ｍ２２×Ｐ１．２５のネジ加工が施されている。
【００３９】
また、外壁面には軸方向にローレット加工が施されており、円周方向に手動で回転させやすいようになっている。
窓部２４は、図５に示すように、アクリルやポリカーボネートなどの合成樹脂製であり、軸方向の長さ１７ｍｍ、外形φ２０ｍｍ、内径φ１８ｍｍの円筒形状に形成されている。また、外壁面に図５中上側の一端から６．５ｍｍのところに、軸方向の幅５ｍｍ、外壁面からの高さ２ｍｍ（つまり、外径φ２４ｍｍ）の凸部が設けられている。また、窓部２４の外壁の凸部を除く部分（２箇所）は、ネジ加工が施されている。
【００４０】
泡沫部４０は、図１に示すように、泡沫金具４２と内心部４４とから構成される。
泡沫金具４２は、規格ＪＩＳ  Ｈ  ３２５０の銅合金製であり、外筒２０の金具部２２と同様、外径φ２４ｍｍ、内径φ２２．３ｍｍであり、内心部４４は、円盤状に形成された網状の金具である。
【００４１】
そして、図１に示すように、泡沫金具４２の中心軸と内心部４４の中心軸とが一致するように、泡沫金具４２内部端に内心部４４が装着され、泡沫金具４２の内部を水が通過する際に、内心部４４に網により温水が泡立てられ、外部に吐出される。
【００４２】
なお、第１実施形態における各寸法は、ＪＩＳ規格に規定された標準的な寸法を一例として示したものであり、第１実施形態に示した各寸法に限定されるものではなく、用途に応じて異なる寸法としてもよい。
【００４３】
また、内筒１０や外筒２０の金具部２２の材料は、規格ＪＩＳ  Ｈ  ３２５０の銅合金だけでなく、真鍮など他の金属を用いてもよい。
（温度表示機能付き導水器具１の組立て）
導水器具１の組立てについて説明する。まず、図１に示すように、窓部２４の外周にOリング６０を装着し、窓部２４のネジ部を金具部２２の内側のネジ部にねじ込んで固定し、外筒２０を組み立てる。
【００４４】
次に、内筒１０の外周の切欠き部に、テープ状の感温シール３０を巻き付けるようにして装着する。そして、感温シール３０を装着した内筒１０を、フランジと反対端側から外筒２０の金具部２２の内部に図１中上側の端から挿入し、フランジが金具部２２の内壁面の凸部に当接するまで押し込む。
【００４５】
次に、泡沫部４０の内心部４４の排水口と反対側の面にパッキン５０を装着し、パッキン５０が内筒１０のフランジと反対端に当接するように、窓部２４を泡沫部４０の泡沫金具４２の内側にねじ込んで固定する。
【００４６】
以上のようにして組み立てた導水器具１の金具部２２の内側にパッキン５２を、内筒１０のフランジ部分に接するように挿入し、図２（ａ）及び図２（ｂ）に示すように、混合栓５や蛇口７の吐水口に装着する。この際、混合栓５や蛇口７の吐水口が内筒１０のフランジ部分に装着したパッキン５２に当接するようにし、金具部２２の内側のネジを吐水口のネジにねじ込んで装着する。
【００４７】
（温度表示機能付き導水器具１の特徴）
以上のような温度表示機能付き導水器具１では、配管８０内を流れる温水が、内筒１０内に流れ込み、流れ込んだ流体の温度により内筒１０の壁面の温度が変化する。すると、内筒１０の外表面に配置された感温シール３０の色が変化する。
【００４８】
また、外筒２０の金具部２２及び窓部２４が内筒１０の外側に装着されており、窓部２４によって、内筒１０の外表面の感温シール３０を視認することができる。
つまり、ＬＥＤなどの発光素子や制御装置あるいは配線といった部品を必要とせず、内筒１０の外表面に感温シール３０を配置し、それを外筒２０でカバーするという簡単な構造により、配管８０内を流れる温水の温度を確認することができる。
【００４９】
また、パッキン５０，５２やＯリング６０によって、内筒１０と外筒２０の間には温水が浸透しないようになっている。したがって、温度表示機能付き導水器具１の使用中に、温水が内筒１０と外筒２０の間に浸透し、感温シール３０を濡らすことがないので、感温シール３０の成分が流体に溶け出して外部に流れ出すことがない。
【００５０】
つまり、感温シール３０の成分が台所や浴室流れ出すことがないので、感温シール３０の成分に拘わらず、人体に悪影響を与えることがない安全なものとすることができる。
また、感温シール３０が温水に濡れて劣化することを防止することができるため、感温シール３０の寿命を長く保つことができる。
【００５１】
また、外筒２０は、内筒１０の外表面の感温シール３０が視認できる部分が樹脂、それ以外の部分が金属で形成されているので、金属部分により外筒２０が強化されるので、温度表示付き導水器具として強度が高くなる。
【００５２】
さらに、内筒１０が金属製であるので、他の材料、例えば、プラスチックやゴムなどに比べ、熱伝導率が高い。したがって、内部を流れる温水の温度の変化が感温シール３０に早く伝わるので、温水の温度変化をより早く認識することができる。
【００５３】
また、内筒１０には、フランジが形成されている端部から厚さ３ｍｍの部分に、軸方向外側から内側にかけて、φ１６ｍｍからφ５となるテーパが形成されている。つまり、導水部が広く吐水部が狭くなっているので、節水効果も得ることができる。
［第２実施形態］
次に、図６に基づき、外筒２０全体が透明な樹脂材で形成された温度表示機能付き導水器具３（以下、単に「導水器具３」とも呼ぶ）について説明する。第２実施形態における導水器具３の構成は、第１実施形態における導水器具１の構成と外筒２０部分が異なるのみであるので、同じ構成品には同じ符号を付し、その説明を省略する。
【００５４】
導水器具３は、図６に示すように、外筒７０の全体が円筒状の透明な樹脂材で形成されている。つまり、第１実施形態の導水器具１における外筒２０の金具部２２と窓部２４とが透明な樹脂で一体成形されており、Ｏリング６０が不要となったものである。
【００５５】
このように、全体が透明な樹脂材で形成されていると、内筒１０の外表面に設けられている感温シール３０を視認し易いので、使用者は温度変化を容易かつ正確に視認することができ。
【００５６】
また、樹脂材は加工が容易であるため、装飾加工等により器具の装飾性を高めることもできる。
さらに、樹脂材は金属材に比べ熱伝導率が低いので、内筒１０内部に温度の高い流体が流れていても、外筒７０を樹脂材とすることにより、器具に断熱効果を与えることができ、やけどなどの危険を回避することもできる。
［第３実施形態］
次に、図７に基づき、導水器具１，３を配管８０用の継ぎ手としたり、シャワーヘッド９０用の継ぎ手としたりして用いた第３実施形態について説明する。
【００５７】
第１実施形態及び第２実施形態では、導水器具１，３を水道の混合栓５や蛇口７の吐水口に取り付けていたが、図７（ａ）に示すように、配管８０の途中に継ぎ手として取り付けてもよい。
【００５８】
この場合、泡沫部４０の内心部４４の代わりに、内筒１０と同様の、配管８０の端面と当接するテーパ部を設けた金具を泡沫金具４２の内部に挿入し、泡沫金具４２の内壁面にＭ２２×Ｐ１．２５のネジを形成し、配管８０をねじ込むようにして装着する。
【００５９】
このように、配管８０用の継ぎ手として導水器具１，３を用いると、容易に配管８０中に温度表示機能付きの導水器具（導水器具１，３）を装着することができ、長尺の配管８０における温度を外部から容易に確認することができる。
【００６０】
また、図７（ｂ）に示すように、シャワーヘッド９０の配管８０との継ぎ手部分に導水器具１，３を装着してもよいし、図７（ｃ）に示すように、シャワーヘッド９０の一部に導水器具１，３を組み込むようにしてもよい。
［第４実施形態］
次に、図８に基づき、ジャワーヘッドの背部に、温度表示機能付き導水器具をはめ込む形とした第４実施形態について説明する。図８（ａ）は、温度表示機能付き導水器具をはめ込んだシャワーヘッド９０の断面図であり、図８（ｂ）は、図８（ａ）のＡ部の拡大図である。
【００６１】
第１実施形態〜第３実施形態では、内筒１０や外筒２０を円筒状に形成したが、第４実施形態では、図８に示すように、内筒１０、外筒２０の代わりに円盤状に形成した第１部材１０及び第２部材２０を用いている。
【００６２】
第１部材１０は、図８（ｂ）に示すように、規格ＪＩＳ  Ｈ  ３２５０の銅合金を薄板の円盤状（直径φ１９ｍｍ×厚さｔ１ｍｍ）に形成した部材である。また、円盤状に形成した第１部材１０の片面の中心付近に、水溶性液晶インクやサーモクロミックインク（登録商標）を混合した顔料を塗布したり、吹き付けたりしている。
【００６３】
第２部材２０は、アクリルやポリカーボネートなどの樹脂製の材料を薄板の円盤状（直径φ２０ｍｍ×厚さｔ１ｍｍ）に形成した部材である。なお、第２部材２０の外周部の１部には、直径方向の深さ０．５ｍｍ、周囲方向の長さ５ｍｍの切欠きが設けられている。
【００６４】
シャワーヘッド９０の吐水口９４の背面部には、直径φ２０ｍｍ×深さ３ｍｍの穴部９２を設ける。穴部９２の中心は、φ１０ｍｍの配管部に対する貫通穴となっている。つまり、穴部９２の底面は、幅５．１ｍｍの肩部となっている。
【００６５】
この肩部にリング状のパッキン５２を装着し、その上（シャワーヘッド９０の配管部と反対側）に第１部材１０を装着する。さらにその上にリング状のパッキン５０を装着し、その上に第２部材２０を穴部９２の開口部に押さえつけるようにしてはめ込んで、固定する。
【００６６】
このような構成の温度表示機能付き導水器具３では、第１部材１０が、シャワーヘッド９０の配管部内を流れる温水が直接接し、温水が配管部の外部に漏洩しないようにパッキン５２で封止されている。また、仮に、パッキン５２から温水が漏洩しても、パッキン５０があるため、第１部材１０と第２部材２０との間に温水が浸透することがない。したがって、第１実施形態〜第３実施形態と同様な効果を得ることができる。
【００６７】
なお、シャワーヘッド９０から第２部材２０を取り外す場合には、第２部材２０に設けた切欠き部分に、例えば、マイナスドライバーの先端を挿入してこじ開けるようにして取り外すことができる。
【００６８】
なお、円盤状に形成した第１部材１０の片面の中心付近に、水溶性液晶インクやサーモクロミックインク（登録商標）を混合した顔料を塗布したり、吹き付けたりする代わりに、メタモカラー（登録商標）のような感温シール３０を貼り付けてもよい。
［その他の実施形態］
以上、本発明の実施形態について説明したが、本発明は、本実施形態に限定されるものではなく、種々の態様を採ることができる。
【００６９】
（１）上記実施形態では、内筒１０（第１部材１０）を金属製としていたが、内筒１０（第１部材１０）をセラミック材で形成してもよい。
内筒１０（第１部材１０）をセラミック材で形成すると、熱伝導率は金属に比べて劣るものの、金属製の内筒１０（第１部材１０）に比べ、より軽くすることができるので、扱い易い温度表示機能付き導水器具１，３とすることができる。
【００７０】
（２）上記第１〜第３実施形態では、テープ状の感温シール３０を内筒１０の外表面に巻き付けたていたが、水溶性液晶インクやサーモクロミックインク（登録商標）を混合した顔料を内筒１０の外表面に塗布したり、吹き付けたりしてもよい。
【００７１】
（３）上記第１〜第３実施形態では、内筒１０や外筒２０を円筒状に形成したが、円筒以外にも、流体が流れる方向と垂直方向の断面が三角や四角あるいはそれ以上の多角形の筒状に形成されていてもよい。
【００７２】
また、第４実施形態においては、第１部材１０や第２部材２０を円盤状に形成したが、円盤状以外にも、多角形状に形成してもよい。
（４）上記第１〜第４実施形態では、配管８０内（内筒１０内）を流れる流体を温水として説明したが、他の液体、例えば、硫酸化合物や硫酸化合物、石油、アルコールなどであってもよい。また、液体以外にも、小麦粉や米粉などの粉体であってもよい。
【００７３】
（５）上記実施形態では、樹脂材として、アクリルやポリカーボネートを用いたが、強度や人体に対する安全性が確保できるものであれば他の樹脂であってもよい。
【符号の説明】
【００７４】
１，３…温度表示機能付き導水器具（導水器具）、５…混合栓、７…蛇口、１０…内筒（第１部材）、２０…外筒（第２部材）、２２…金具部、２４…窓部、３０…感温シール、４０…泡沫部、４２…泡沫金具、４４…内心部、５０、５２…パッキン、６０…Ｏリング、７０…外筒、８０…配管、９０…シャワーヘッド、９２…穴部、９４…吐水口。
【図１】
0005538808.tif 000002
【図２】
0005538808.tif 000003
【図３】
0005538808.tif 000004
【図４】
0005538808.tif 000005
【図５】
0005538808.tif 000006
【図６】
0005538808.tif 000007
【図７】
0005538808.tif 000008
【図８】
0005538808.tif 000009